(57)【要約】      （修正有）【課題】ユーザーが目的とする記憶装置に記憶されるフォルダを見つけやすくする。【解決手段】記憶装置に階層的に管理されたフォルダをツリー表示するツリー表示手段と、特定のフォルダＡ１２１に係るジャンプアイコンを、スクロールバーレーン上に表示するアイコン表示手段を持ち、ジャンプアイコンがユーザーによりクリックして選択された場合、ユーザがスクロール指示を行わなくてもフォルダＡ１２１に関連付けられているファイル表示手段を持つ。【選択図】図１０
2014021650.tif 000002
【特許請求の範囲】
【請求項１】
記憶装置に階層的に管理されたフォルダをツリー表示するツリー表示手段と、
ユーザーからジャンプアイコンとして表示させるべきフォルダの指定を受け付ける受付手段と、
当該指定されたフォルダを表示させるためのジャンプアイコンを、スクロールバーレーン上に表示するアイコン表示手段と、
を備えることを特徴とする表示制御装置。
【請求項２】
前記アイコン表示手段は、前記ジャンプアイコンがユーザーにより選択された場合、当該選択されたジャンプアイコンに関連付けられたフォルダとそのフォルダ内に含まれるファイルとを表示することを特徴とする請求項１に記載の表示制御装置。
【請求項３】
前記アイコン表示手段は、ユーザーの操作によって前記ジャンプアイコン上にカーソルが合わせられた場合、前記階層的に管理されている最上位のフォルダから当該カーソルを合わせられたジャンプアイコンに関連付けられたフォルダまでのパスを表示することを特徴とする請求項１に記載の表示制御装置。
【請求項４】
前記アイコン表示手段は、前記表示されたパス内のフォルダがユーザーにより選択された場合に、当該選択されたフォルダに関連付けられたフォルダとファイルを表示することを特徴とする請求項３に記載の表示制御装置。
【請求項５】
前記アイコン表示手段は、前記フォルダのツリー表示が行われるフォルダツリー表示部において前記指定されたフォルダが表示されていない場合に、当該フォルダに関するジャンプアイコンを前記スクロールバーレーン上に表示することを特徴とする請求項１に記載の表示制御装置。
【請求項６】
前記アイコン表示手段は、前記フォルダツリー表示部に表示中のフォルダが前記指定されたフォルダである場合、当該表示されているフォルダに関するジャンプアイコンを前記スクロールバーレーン上に表示しないことを特徴とする請求項５に記載の表示制御装置。
【請求項７】
前記アイコン表示手段は、前記フォルダツリー表示部に表示中のフォルダの下位フォルダが前記指定されたフォルダで且つ前記フォルダツリー表示部に表示されていない場合、ユーザーの操作によってスクロールバーノブ上にカーソルが合わせられた場合、前記階層的に管理されている最上位のフォルダから前記下位フォルダまでのパスを表示することを特徴とする請求項１に記載の表示制御装置。
【請求項８】
前記アイコン表示手段は、カーソルが前記スクロールバーレーン上にあるときに前記ジャンプアイコンを前記スクロールバーレーン上に表示する一方、前記カーソルが前記スクロールバーレーン上にないときに前記ジャンプアイコンを前記スクロールバーレーン上に表示しないように制御することを特徴とする請求項１に記載の表示制御装置。
【請求項９】
前記アイコン表示手段は、前記指定されたフォルダが一定範囲に複数ある場合、当該指定された複数のフォルダをまとめたマージジャンプアイコンを前記スクロールバーレーン上に表示し、ユーザーの操作により前記マージジャンプアイコン上にカーソルが合わせられた場合、前記複数のフォルダの名称をリストにして表示することを特徴とする請求項１に記載の表示制御装置。
【請求項１０】
前記リストに表示される前記複数のフォルダのうち、ユーザーが選択したフォルダに関連付けられたフォルダ又はファイルを表示することを特徴とする請求項９に記載の表示制御装置。
【請求項１１】
前記リストに表示される前記複数のフォルダのうち、ユーザーがカーソルを合わせたフォルダに関する前記階層的に管理されている最上位のフォルダからカーソルを合わせた当該フォルダまでのパスを表示することを特徴とする請求項１０に記載の表示制御装置。
【請求項１２】
前記記憶装置は、ネットワークを介して接続された記憶装置であることを特徴とする請求項１に記載の表示制御装置。
【請求項１３】
コンピュータを、請求項１乃至１２のいずれかに記載の表示制御装置の各手段として機能させるためのプログラム。
【請求項１４】
請求項１３に記載のプログラムを格納した、コンピュータ読み取り可能な記憶媒体。
【請求項１５】
ツリー表示手段が、記憶装置に階層的に管理されたフォルダをツリー表示するツリー表示ステップと、
受付手段が、ユーザーからジャンプアイコンとして表示させるべきフォルダの指定を受け付ける受付ステップと、
アイコン表示手段が、当該指定されたフォルダを表示させるためのジャンプアイコンを、スクロールバーレーン上に表示するアイコン表示ステップと、
を備えることを特徴とする表示制御方法。
【発明の詳細な説明】
【技術分野】
【０００１】
本発明は、記憶装置に記憶されるファイルを容易に見つけるための表示制御を行う表示制御装置に関する。
【背景技術】
【０００２】
各種の情報をフォルダ単位で階層にして記憶する記憶装置に対し、ユーザーが操作する装置がアクセスして階層の状態を閲覧し、あるいは階層に関連付けられている情報を利用できる文書管理システムがある。
【０００３】
ユーザーが操作する端末に階層をツリー状に表示させて特定のフォルダを探す場合、ツリー上のフォルダを上位の階層から順次選択して階層を下って探すのが一般的である。
【０００４】
しかし、フォルダ数や階層数が多いツリーでは、ツリー全体を所定の表示領域内に表示することができないことがある。従って、このようなツリーでは、ツリーの一部を表示領域に表示させて、ユーザーが操作によりツリーの表示部分を変更させて、目的のフォルダを探索することになる。
【０００５】
このように部分的にツリーを表示する場合に、ツリー上のフォルダの検索、変更などを効率よく行うために、特許文献１では、ツリーのフォルダごとにスクロールバーに目盛をつけ、目盛をクリックすると、対応するフォルダに移動するようにしている。
【先行技術文献】
【特許文献】
【０００６】
【特許文献１】特開平５−１８９１７７号公報
【発明の概要】
【発明が解決しようとする課題】
【０００７】
特許文献１に記載の技術では、最上位フォルダの下位フォルダに対してのみ目盛が振られ、しかも下位フォルダが多ければ目盛の幅が狭くなり、見づらく、操作しづらいという課題がある。また、ユーザーがあまり利用しないフォルダに対しても目盛が振られるので、どの目盛がユーザーの良く利用するフォルダを示すのかを瞬時に判断できないという課題もある。
【課題を解決するための手段】
【０００８】
上記課題を解決するために、本願発明に係る表示制御装置は、記憶装置に階層的に管理されたフォルダをツリー表示するツリー表示手段と、ユーザーからジャンプアイコンとして表示させるべきフォルダの指定を受け付ける受付手段と、当該指定されたフォルダを表示させるためのジャンプアイコンを、スクロールバーレーン上に表示するアイコン表示手段と、を備えることを特徴とする。
【発明の効果】
【０００９】
本発明により、ユーザーが目的とするフォルダを見つけやすくなり、また、目的とするフォルダに関連付けられたファイルを見つけやすくなり、ユーザーの利便性を向上させる。
【図面の簡単な説明】
【００１０】
【図１】実施例１に係るシステムの構成を示す図である。
【図２】実施例１に係る文書管理サーバ装置の構成を示す図である。
【図３】実施例１に係る文書管理サーバ装置の機能構成を示す図である。
【図４】実施例１に係るクライアント装置の構成を示す図である。
【図５】実施例１に係るクライアント装置の機能構成を示す図である。
【図６】実施例１に係る文書管理画面の一例を示す図である。
【図７】実施例１に係るジャンプアイコンを設定する様子を説明するための図である。
【図８】実施例１に係るジャンプアイコン保存設定ダイアログの一例を示す図である。
【図９】実施例１に係るジャンプアイコンが表示される様子を示す図である。
【図１０】実施例１に係るジャンプアイコン選択後の表示制御を説明するための図である。
【図１１】実施例１に係るジャンプアイコン選択後の表示制御を説明するための図である。
【図１２】実施例１に係るジャンプアイコンをマウスオーバーしたときの表示処理を説明するための図である。
【図１３】実施例１に係るツールチップによりパスが表示される様子を示す図である。
【図１４】実施例１に係るジャンプアイコンを設定する処理の処理手順を示すフローチャートである。
【図１５】実施例１に係るジャンプアイコン及びパスツリーを表示する処理の処理手順を示すフローチャートである。
【図１６】実施例１に係るフォルダ内容の表示処理の処理手順を示すフローチャートである。
【図１７】実施例２に係るマージジャンプアイコンを説明するための図である。
【図１８】実施例２に係るマージジャンプアイコンマージ処理の処理手順れを示すフローチャートである。
【図１９】実施例２に係るマージジャンプアイコンに対する各種の操作に対する表示制御の処理の処理手順を示すフローチャートである。
【発明を実施するための形態】
【００１１】
以下、本発明の発明を実施するための最良の形態について図面を用いて説明する。
【００１２】
（実施例１）
本発明の第１の実施形態について、図１から図１６を用いて説明する。
【００１３】
［システム構成］
図１は、本発明の実施形態に係るシステム全体の構成を示す図である。当該システムは、文書管理サーバ装置１０１、クライアント装置１０２、ネットワーク１００から構成される。
【００１４】
文書管理サーバ装置１０１は、文書情報等の各種のファイルを階層的に管理し、クライアント装置１０２からの要求に応じてファイルを提供する。
【００１５】
クライアント装置１０２は、文書管理サーバ装置１０１に対して各種の指示を行うことが可能であり、ユーザーが文書情報の表示や操作を行うことを可能にするためのインターフェースとして機能する。図１に示すように、クライアント装置１０２は、ネットワーク１００内において特に１台に限定されるものではなく、複数台存在してもよい。
【００１６】
ネットワーク１００は、例えば、インターネットなど、クライアント装置１０２と文書管理サーバ装置１０１との間で通信可能な媒体であればよい。例えば、Local Area Network（以下、ＬＡＮ）等の他のネットワークシステムであっても構わない。なお、本実施例では、ネットワーク１００として、インターネットを利用する場合について説明する。
【００１７】
［文書管理サーバ装置のハードウェア構成］
図２は、本発明の実施形態に係る文書管理サーバ装置１０１のハードウェア構成の一例を示す図である。
【００１８】
ＣＰＵ２０１は、文書管理サーバ装置において、演算又は制御を実行する中央処理装置である。
【００１９】
ランダムアクセスメモリであるＲＡＭ２０２は、ＣＰＵ２０１の主メモリとして機能する。また、ＲＡＭ２０２は、実行プログラムの記憶領域、当該実行プログラムの実行エリア、当該実行プログラムのデータエリアとして機能する。
【００２０】
リードオンリーメモリであるＲＯＭ２０３は、ＣＰＵ２０１の動作処理手順を記憶している。また、ＲＯＭ２０３には、情報処理装置の機器制御を行うシステムプログラムである基本ソフト（ＯＳ）を記録したプログラムＲＯＭと、システムを稼働するために必要な情報等が記録されているデータＲＯＭとが記憶されている。なお、ＲＯＭ２０３の代わりに、ＨＤＤ２０９が記憶する情報を用いる場合もある。プログラムＲＯＭ２０３に記憶されたプログラムをＣＰＵ２０１が実行することにより、本実施例に係る動作が行われる。
【００２１】
ネットワークインターフェースであるＮＥＴＩＦ２０４は、ネットワーク１００を介して外部装置とデータ転送を行うための制御や、自機のネットワーク１００への接続状況の診断等を行う。ビデオＲＡＭであるＶＲＡＭ２０５は、ＬＣＤ２０６の画面に表示させるための画像を展開し、その画像の表示の制御を行う。
【００２２】
ＬＣＤ２０６は、情報処理装置の稼働状態等を画面に表示するディスプレイ等である。
【００２３】
ＫＢＣ２０７は、キーボードであるＫＢ２０８からの入力信号を制御するためのキーボードコントローラである。ＫＢ２０８は、利用者が行う操作を受け付けるための受付装置である。例えば、キーボードやマウス等のポインティングデバイスがＫＢ２０８として用いられる。
【００２４】
ＨＤＤ２０９は、アプリケーションプログラムや各種データ等を記憶するハードディスクドライブである。本実施例におけるアプリケーションプログラムとは、各種処理部を制御するためのソフトウェアプログラム等である。
【００２５】
ＦＤＤ２１０は、フレキシブルディスクドライブ等の磁気記録媒体である。なお、ＣＤ−ＲＯＭドライブ等の光記録媒体や、ＭＯ等の光磁気記録媒体等のリムーバブルディスク、メモリカード等の半導体記録媒体でもよい。例えば、ＦＤＤ２１０は、前述したアプリケーションプログラム等を記録媒体からの読み出すために用いられる。
【００２６】
ＦＤ２１１は、ＦＤＤ２１０によって読み出されるデータを保存する取り外し可能なデータ記録媒体であり、例えば、フロッピーディスクである。なお、光記録媒体（例えばＣＤ−ＲＯＭ）、光磁気記録媒体（例えばＭＯ）、半導体記録媒体（例えばメモリカード）であってもよい。尚、ＨＤＤ２０９に格納するアプリケーションプログラムやデータをＦＤＤ２１０がＦＤ２１１から読み出して使用することも可能である。
【００２７】
［文書管理サーバ装置の機能構成］
図３は、本発明の実施例に係る文書管理サーバ装置の機能構成を示す図である。
【００２８】
文書管理サーバ装置１０１は、表示内容処理制御部３０１、記憶部３０２、入出力制御部３０３で構成される。
【００２９】
表示内容処理制御部３０１は、他のコンポーネントによる処理結果をクライアント装置１０２に送信するための処理を行う。
【００３０】
記憶部３０２は、ＨＤＤ２０９などの記憶装置からなり、文書情報や入出力情報を記憶する。
【００３１】
入出力制御部３０３は、クライアント装置１０２への情報の送信や、クライアント装置１０２からの情報の受信を制御する場所である。
【００３２】
［クライアント装置のハードウェア構成］
図４は、本発明の実施形態に係るクライアント装置のハードウェア構成図を示している。
【００３３】
ＣＰＵ４０１は、情報処理装置の演算・制御を行い、クライアント装置全体を制御する中央演算装置である。
【００３４】
ＲＡＭ４０２は、ＣＰＵ４０１の主メモリとして機能するランダムアクセスメモリである。また、ＲＡＭ４０２は、実行プログラムの記憶領域、当該実行プログラムの実行エリア、当該実行プログラムのデータエリアとして機能する。
【００３５】
ＲＯＭ４０３は、ＣＰＵ４０１の動作処理手順を記憶する読み取り専用の記憶媒体である。なお、ＲＯＭ４０３は、情報処理装置の機器制御を行うシステムプログラムである基本ソフト（ＯＳ）を記録したプログラムＲＯＭと、システムを稼働するために必要な情報等が記録されているデータＲＯＭとを記憶する。なお、ＲＯＭ４０３の代わりに、ＨＤＤ４０９を用いてもよい。いずれにせよ、プログラムＲＯＭ４０３に記憶された本実施例を実行するプログラムをＣＰＵ４０１が実行する。
【００３６】
ＮＥＴＩＦ４０４は、ネットワーク４００を介して外部装置とデータ転送を行うための制御や、自機のネットワーク１００への接続状況の診断等を行うネットワークインターフェースである。
【００３７】
ＶＲＡＭ４０５は、ＬＣＤ４０６の画面に表示させるための画像を展開し、その画像の表示の制御を行うビデオＲＡＭである。
【００３８】
ＬＣＤ４０６は、情報処理装置の稼働状態等を表示するディスプレイ等の表示装置である。
【００３９】
ＫＢＣ４０７は、ＫＢ４０８からの入力信号を制御するためのキーボードコントローラである。
【００４０】
ＫＢ４０８は、利用者が行う操作を受け付けるための外部入力装置であり、例えばキーボードである。また、マウス等のポインティングデバイスもＫＢ４０８として用いられる。
【００４１】
ＨＤＤ４０９は、アプリケーションプログラムや各種データ等を保存するハードディスクドライブである。なお、アプリケーションプログラムとは、本実施形態における各種処理部を実行させるソフトウェアプログラム等である。
【００４２】
ＦＤＤ４１０は、フレキシブルディスクドライブ等の磁気記録媒体にデータを読み書きする。なお、ＣＤ−ＲＯＭドライブ等の光記録媒体や、ＭＯ等の光磁気記録媒体等のリムーバブルディスク、メモリカード等の半導体記録媒体のデータを入出力する外部入力装置であってもよい。例えば、ＦＤＤ４１０は、前述のアプリケーションプログラム等を記録媒体からの読み出すために用いられる。
【００４３】
ＦＤ４１１は、ＦＤＤ４１０によって読み出されるデータを保存する取り外し可能なデータ記録媒体のリムーバブル・メディアである。ＦＤ４１１は、例えば磁気記録媒体（例えばフレキシブルディスク）である。また、光記録媒体（例えばＣＤ−ＲＯＭ）、光磁気記録媒体（例えばＭＯ）、半導体記録媒体（例えばメモリカード）であってもよい。
【００４４】
尚、ＨＤＤ４０９に格納するアプリケーションプログラムやデータをＦＤＤ４１０がＦＤ４１１から読み出して使用することも可能である。
【００４５】
［クライアント装置の機能構成］
図５は、本発明の実施形態に係るクライアント装置の機能構成を示す図である。
【００４６】
クライアント装置１０２は、表示内容処理制御部５０１、記憶部５０２及び入出力制御部５０３により構成される。
【００４７】
表示内容処理制御部５０１は、文書管理サーバ装置１０１から送信された情報に基づいて画像を生成し、ＬＣＤ４０６に表示させる。また、ＫＢ４０８から入力された情報を文書管理サーバ装置１０１に送信するための処理・制御を行う。
【００４８】
記憶部５０２は、ＨＤＤ４０９などの記憶装置から構成され、文書情報や入出力情報を記憶する。
【００４９】
入出力制御部５０３は、ＲＡＭ４０２内に格納され、ユーザーによる入力や文書管理サーバ装置への送信、文書管理サーバ装置からの受信を制御する。
【００５０】
［ジャンプアイコンの詳細］
以下、図６乃至図９を用いて、本発明の特徴であるジャンプアイコンに係る処理について説明する。ジャンプアイコンとは、特定のフォルダが関連付けられており、スクロールバー上に表示されるものである。なお、実施例ではジャンプアイコンがスクロールバー上に表示される例について説明するが、これに限定されるものではない。
【００５１】
図６は、ユーザーがクライアント装置１０２を介して文書管理サーバ装置１０１にアクセス（ログイン）したときに、ＬＣＤ４０６に表示される文書管理画面６００の一例である。
【００５２】
文書管理画面６００は、フォルダツリー表示部６０１と、ドキュメント表示部６０２とから構成される。
【００５３】
フォルダツリー表示部６０１は、文書管理サーバ装置１０１が情報をフォルダ単位で階層にして記憶しており、その階層を視覚的に理解しやすいようにしたツリー表示する表示領域である。ドキュメント表示部６０２は、フォルダツリー表示部６０１に表示されるフォルダツリーに係るフォルダが指定された場合に、当該指定されたフォルダに係る下位のフォルダやファイルを表示する。
【００５４】
なお、本発明の実施形態に係る文書管理画面は、図６に示す文書管理画面６００に限定されるものではない。
【００５５】
フォルダツリー表示部６０１は、その表示領域の大きさの制限から、フォルダツリーの同位階層のフォルダを一度に表示できない場合がある。例えば、図６に示すように、フォルダＡ１〜Ｃ１は、ツリーにおける同位階層の関係を有する。
【００５６】
ここで、フォルダＡ１〜Ｃ１以外のフォルダもこの同位階層に存在する場合、図６のフォルダツリー表示部６０１には表示されていないことになる。このような場合には、スクロールバーレーン６０３及びスクロールバーノブ６０４が表示される。
【００５７】
スクロールバーレーン６０３はフォルダツリー全体の長さに対応し、スクロールバーノブ６０４の上端と下端は、フォルダツリー表示部６０１の上端と下端に対応している。これにより、スクロールバーノブ６０４をユーザーの画面操作により上下に動かすと、フォルダツリー表示部６０１に表示されていなかったフォルダをフォルダツリー表示部６０１に表示させることができる。
【００５８】
図７は、フォルダツリー表示部６０１に表示されるフォルダから特定のフォルダをジャンプアイコンに設定する様子を説明するための図である。
【００５９】
例えば、ユーザーがフォルダＡ１２1にカーソル（図７に示す矢印の形状）を移動させて、フォルダＡ１２１を選択することにより、メニュー７０１が表示される。
【００６０】
次に、ユーザーは、メニュー７０１の複数の項目の中から、ジャンプアイコンの項目を選択する。これにより、フォルダＡ１２１に対して、ジャンプアイコンが設定される。
【００６１】
図８は、図７のメニュー７０１を介してジャンプアイコンを設定した後に表示されるジャンプアイコン保存設定ダイアログ８０１の一例を示す図である。
【００６２】
ジャンプアイコン保存設定ダイアログ８０１内に表示されている「はい」の項目を選択すると次回起動時、設定したジャンプアイコンを表示するように設定される。一方、「いいえ」の項目を選択すると、クライアントＵＩの表示を終了させると、次回起動時にはジャンプアイコンが表示されないように設定される。この保存設定はジャンプアイコンの表示選択の時に設定可能なため、フォルダごとに設定可能である。
【００６３】
図９は、ジャンプアイコンを設定した後、スクロールバーレーン６０３上にジャンプアイコン９０１が表示される様子を示す図である。なお、図９は、フォルダＡ１２１に対してジャンプアイコンを設定した後に、フォルダツリー表示部をスクロールさせてフォルダＢ１〜Ｅ１を表示させている状態である。すなわち、図９のフォルダＡ１〜Ａ１２２は、説明のために図示したものであって、実際には表示領域外にあるので表示されていない。
【００６４】
ジャンプアイコン９０１は、選択したフォルダの位置に対応させてスクロールバーレーン６０３上に表示することができる。ただし、スクロールバーノブ６０４上には表示されないようにする。すなわち、ジャンプアイコンが設定されたフォルダがフォルダツリー表示部の表示領域外にあるときのみジャンプアイコン９０１が表示される。
【００６５】
例えば、図９に示すように、フォルダツリー表示部６０１の領域外に位置するフォルダＡ１２１にジャンプアイコンが設定されている場合について説明する。この場合、フォルダツリーにおけるフォルダＡ１２１の位置は、フォルダツリーの位置関係に対応させたスクロールバーレーン６０３において図９に示すジャンプアイコン９０１の位置に相当する。そこで、図９に示すように、フォルダＡ１２１に係るジャンプアイコン９０１が、フォルダツリーにおけるフォルダＡ１２１の位置に対応させて表示される。
【００６６】
別の例として、フォルダＣ１２にジャンプアイコンが設定された場合に相対的な位置関係に従うと、スクロールバーノブ６０４上にジャンプアイコンが表示されるべきとなる。しかし、この場合、ジャンプアイコンとスクロールバーノブとが重なることになり視認性や操作性を低下させるおそれがあることから、このときのフォルダＣ１２に係るジャンプアイコンは表示されない。
【００６７】
また、ジャンプアイコン９０１のスクロールバーレーン上の表示位置は、上位フォルダを展開して下位フォルダを表示させたり、上位フォルダを閉じて下位フォルダを隠したりする操作に応じて変化するフォルダツリーの全体の大きさにも対応させる。つまり、フォルダツリーの全体の大きさに応じて、スクロールバーノブ６０４の大きさと表示位置が変化するので、ジャンプアイコンもスクロールバーレーン上の対応する位置に表示させるように制御する。
【００６８】
さらに、ジャンプアイコン９０１は、カーソルがスクロールバーレーン６０３上にあるときのみ表示され、それ以外の場所（例えばドキュメント表示部６０２）にある場合には表示されないようにすることもできる。
【００６９】
［ジャンプアイコンを選択したときの表示制御］
以下、図１０及び図１１を用いて、本実施例におけるジャンプアイコンをクリック（選択）したときの表示制御の処理について説明する。
【００７０】
図１０は、フォルダＡ１２１に対して、ジャンプアイコンの設定を行い、スクロールバーレーン上にジャンプアイコン１００１が表示されている様子を示している。また、図１０では、ユーザーがフォルダＣ１１を選択したことにより、ドキュメント表示部に、フォルダＣ１１に係属する下位フォルダＣ１１１、Ｃ１１２が表示されている様子を示している。
【００７１】
図１１は、図１０に示すジャンプアイコン１００１をユーザーがクリックすることにより、ジャンプアイコン１００１が設定されたフォルダＡ１２１に係属するフォルダがドキュメント表示部６０２に表示された場合の例を示している。
【００７２】
すなわち、ユーザーが図１０に示すジャンプアイコン１００１をクリックして選択すると、ドキュメント表示部６０２が更新されて、図１１に示すようにフォルダＡ１２１に係属するフォルダ１１０１（Ａ１２１１及びＡ１２１２）が表示される。
【００７３】
図１２は、ジャンプアイコン１００１に対し、クリックせずにカーソルをあてる（以下、マウスオーバー）ことで、ジャンプアイコン１００１が設定されたフォルダＡ１２１のパスをツリー形式でツールチップ表示している様子を示している。
【００７４】
すなわち、ジャンプアイコン１００１にカーソルをマウスオーバーすると、ジャンプアイコン１００１が設定されたフォルダについて、最上位の階層から当該フォルダまでの階層関係を示すパスを示すツールチップ１２０１が表示される。さらに、ツールチップ１０２１上に表示されるパスに係る各フォルダには、リンクが設定されている。
【００７５】
従って、ユーザーが、パスに含まれるフォルダ１２０２のうちのいずれかを選択してクリックすることにより、ユーザーが選択したフォルダに係属するデータやフォルダがドキュメント表示部に表示される。
【００７６】
図１３は、ジャンプアイコンが設定されたフォルダがフォルダ階層における下位のフォルダのため、フォルダツリー表示部６０１に、ジャンプアイコン設定されたフォルダが表示されていない場合の処理を説明するための図である。
【００７７】
この場合、ジャンプアイコン設定がされたフォルダが、フォルダＡ１２に係属するフォルダＡ１２１であり、図１３に示すフォルダツリー表示部６０１には、フォルダＡ１２が展開されていないため、フォルダＡ１２１が表示されていない場合の例である。
【００７８】
ここで、ユーザーが、スクロールバーノブ１３０１に対してマウスオーバーすると、ジャンプアイコン設定がされたフォルダＡ１２１のパスがツリー形式で表示されているツールチップ１３０２が表示される。ツールチップ１３０２上に表示されるツリー１３０３の各フォルダＡ１，Ａ１２,Ａ１２１には、それぞれリンクが設定されている。
【００７９】
ユーザーが、フォルダＡ１，Ａ１２,Ａ１２１のいずれかをクリックして選択すると、選択されたフォルダに関係付けられているデータ類がドキュメント表示部に表示される。また、フォルダツリー表示部６０１においても、選択されたフォルダに応じて表示が変更される。
【００８０】
次に、フローチャートを用いてジャンプアイコンに係る処理手順について説明する。
【００８１】
<ジャンプアイコン設定に係る処理手順>
図１４は、図７、図８を用いて説明した、ジャンプアイコンの設定に係る設定情報を保存する処理の処理手順を示すフローチャートである。
【００８２】
まず、ステップＳ１４０１において、表示内容処理制御部５０１は、ユーザーがフォルダツリー上の特定のフォルダをジャンプアイコンとして設定したと判定した場合（Ｓ１４０１；ＹＥＳ）、ステップＳ１４０２に進む。
【００８３】
ステップＳ１４０２において、表示内容処理制御部５０１は、ジャンプアイコン保存設定ダイアログ８０１をＬＣＤ４０６に表示させる。
【００８４】
次に、表示内容処理制御部５０１が、ジャンプアイコン保存設定ダイアログ８０１に関しユーザーが「はい」を選択したと判定した場合（Ｓ１４０３；ＹＥＳ）、クライアント装置１０２は、保存リクエストを文書管理サーバ装置１０１に送信する。
【００８５】
次に、ステップ１４０６において、文書管理サーバ装置１０１は、記憶部３０２に、ジャンプアイコンが設定されたフォルダに関するアイコン設定情報を記憶する。このアイコン設定情報は、フォルダＩＤ、フォルダ名、フォルダのパス、フォルダの下位フォルダ・文書の内少なくとも一つ含むものである。
【００８６】
一方、ステップＳ１４０３において、ユーザーが「いいえ」を選択したと判定した場合、ステップＳ１４０４において、クライアント装置１０２は、記憶部５０２にアイコン設定情報を記憶する。
【００８７】
ステップＳ１４０５において、表示内容処理制御部５０１は、ジャンプアイコンが設定されたフォルダのアイコンの色をアイコン設定情報に従って変更した上で、ＬＣＤ４０６に表示する。なお、フォルダの色はアイコン保存設定「保存・削除」によって変更することも可能である。これにより、フォルダツリー表示部６０１上でジャンプアイコンが設定されているフォルダを視認しやすくする。
【００８８】
<ジャンプアイコン表示処理>
図１５（ａ）は、図９を用いて説明した、スクロールバーレーン上にジャンプアイコン表示する処理及びフォルダのパスツリーを表示する処理の処理手順を示すフローチャートである。
【００８９】
まず、ステップＳ１５０１において、表示内容処理制御部５０１は、カーソルがスクロールバーレーン上にあるかどうかを判定する。カーソルがスクロールバーレーン上にあると判定した場合（Ｓ１５０１；ＹＥＳ）、次に、ステップＳ１５０２において、表示内容処理制御部５０１は、記憶されているアイコン設定情報を取得する。
【００９０】
次に、ステップＳ１５０２において、表示内容処理制御部５０１がアイコン設定情報を取得できた場合（Ｓ１５０２；ＹＥＳ）、ステップＳ１５０３に進む。
【００９１】
次に、Ｓ１５０３において、表示内容処理制御部５０１は、取得したアイコン設定情報の数をｉとし、ｉが０になるまでステップＳ１５０４及びステップＳ１５０５を繰り返す。
【００９２】
ステップＳ１５０４において、表示内容処理制御部５０１は、ジャンプアイコンを表示する位置がスクロールバーノブと重なっていないと判定した場合、ステップＳ１５０５において、スクロールバーレーン上にジャンプアイコンを表示する。
【００９３】
ステップＳ１５０６において、表示内容処理制御部５０１は、ｉをデクリメントする。
【００９４】
ステップＳ１５０７において、表示内容処理制御部５０１は、カーソルの位置に応じて、ジャンプアイコンが設定されたフォルダのパスをツールチップで表示する処理を行う。ステップＳ１５０７の詳細な処理は、図１５（ｂ）を用いて説明する。
【００９５】
図１５（ｂ）は、ステップＳ１５０７におけるパスツリー表示処理の処理手順を示す図である。
【００９６】
まず、ステップＳ１５０８において、表示内容処理制御部５０１は、ジャンプアイコン上、又はスクロールバーノブ上にカーソルがマウスオーバーされているかを判定する。
【００９７】
カーソルがスクロールバーノブ上でマウスオーバーされている場合、ステップＳ１５０９において、表示内容処理制御部５０１は、フォルダツリー表示部においてジャンプアイコンが設定されたフォルダを表示している状態であるかどうかを判定する。
【００９８】
ステップＳ１５０９において、ジャンプアイコンが設定されたフォルダを表示していないと判定した場合（Ｓ１５０９；ＮＯ）、表示内容処理制御部５０１は、ジャンプアイコン設定情報を取得し、フォルダパスを表示する（Ｓ１５１０）。
【００９９】
なお、Ｓ１５１０の処理は、Ｓ１５０８においてカーソルがジャンプアイコン上でマウスオーバーされている場合にも実行される。
【０１００】
Ｓ１５１０において、フォルダパスが表示された後にパスツリー表示処理は終了する。
【０１０１】
<ジャンプアイコンのクリックによるフォルダ移動処理>
図１６は、ジャンプアイコン又はパスツリー上のフォルダをユーザーがクリックした後にフォルダ内容を表示する処理の処理手順を示すフローチャートである。
【０１０２】
まず、ステップＳ１６０１において、表示内容処理制御部５０１は、ジャンプアイコンまたは、パスツリーに係るフォルダがクリックされたかを判定する。クリックされた場合（Ｓ１６０１；ＹＥＳ）、ステップＳ１６０２において、表示内容処理制御部５０１は、アイコン設定情報を取得し、入出力制御部５０３を介して文書管理サーバ装置１０１にリクエストを送る。
【０１０３】
ステップＳ１６０３において、文書管理サーバ装置１０１の表示内容処理制御部３０１は、記憶部３０２からフォルダ情報を取得し、クライアント装置１０２にレスポンスを送る。
【０１０４】
ステップＳ１６０４において、表示内容処理制御部５０１は、文書管理サーバ装置からのフォルダ情報に基づいて、クリックされたフォルダの内容物（フォルダに格納されるデータ類）を表示する。
【０１０５】
このように、図１０に示すジャンプアイコンをクリックすることにより、フォルダツリー表示部６０１やドキュメント表示部６０２の表示が更新されるものであり、これが本発明の特徴のうちの１つである。
【０１０６】
（実施例２）
次に、本発明の第２の実施例について図１７、図１８及び図１９を用いて説明する。なお、第２の実施例では、スクロールバーレーン上の一定範囲（狭い範囲内）にジャンプアイコンが複数存在する場合、スクロールバーレーン上に表示されるアイコンをマージジャンプアイコンとしてまとめて表示することに特徴を有する。
【０１０７】
［マージジャンプアイコンの説明］
以下、図１７を用いて、本実施例におけるマージジャンプアイコンについて説明する。
【０１０８】
図１７は、ジャンプアイコンに複数のフォルダが関連付けられたマージジャンプアイコンに対して、ユーザーがマウスオーバーしたときの表示処理の様子を示している。
【０１０９】
図１７に示すマージジャンプアイコン１７０１には、パスツリーに係るフォルダＡ１２１、Ｂ１１、Ｂ１２が関連付けられている。ユーザーがジャンプアイコン１７０１に対してマウスオーバーすると、マージジャンプアイコン１７０１に関連付けられているフォルダの名称をリスト状に表すツールチップ１７０２が表示される。一例として図１７では、ツールチップ１７０２には、フォルダＡ１２１、Ｂ１１、Ｂ１２が一列のリスト状で表示される。
【０１１０】
ここで、ユーザーが、ツールチップ１７０２にリスト表示されているフォルダのうちの１つをクリックすると、ドキュメント表示部６０２にクリックされたフォルダに関係付けられたデータ類、例えば下位フォルダ又は文書が表示される。
【０１１１】
あるいはここで、ユーザーが、ツールチップ１７０２にリスト表示されているフォルダのうちの１つをマウスオーバーすると、そのフォルダのパスをツールチップ１７０３のように表示する。例えば、図１７に示すように、ユーザーがツールチップ１７０２におけるフォルダＡ１２１をマウスオーバーすると、フォルダＡ１２１に係るパスがツールチップ１７０３に表示される。
【０１１２】
ここで、ツールチップ１７０３に表示されるパスに係る各フォルダ１７０４にはリンクが関連付けられている。従って、例えば図１７において、ユーザーが各フォルダ１７０４のうちのフォルダＡ１２をクリックすると、フォルダＡ１２に関係付けられたデータ類がドキュメント表示部６０２に表示される。
【０１１３】
以下、フローチャートを交えて実施例２におけるマージジャンプアイコンに係る各種の処理の手順について説明する。
【０１１４】
<ジャンプアイコンマージ処理方法>
図１８は、スクロールバーレーン上の一定範囲にジャンプアイコンが複数存在する場合、スクロールバーレーン上に表示されるアイコンをマージジャンプアイコンとしてアイコン表記をまとめる処理の流れを示すフローチャートである。
【０１１５】
まず、ステップＳ１８０１において、表示内容処理制御部５０１は、フォルダに対してジャンプアイコンが設定されているかを判定する。
【０１１６】
ジャンプアイコンが設定されている場合（Ｓ１８０１；ＹＥＳ）、Ｓ１８０２において、表示内容処理制御部５０１は、ジャンプアイコン設定情報を取得する。
【０１１７】
次に、ステップＳ１８０３において、表示内容処理制御部５０１は、取得したジャンプアイコン設定情報に基づいて、スクロールバーレーン上に表示されるジャンプアイコンが一定範囲内に複数存在するかどうかを判定する。
【０１１８】
ジャンプアイコンが一定範囲内に複数存在する場合（Ｓ１８０３；ＹＥＳ）、ステップＳ１８０４において、表示内容処理制御部５０１は、ジャンプアイコンをマージする処理を行う。具体的には、当該複数のジャンプアイコンを１つのマージジャンプアイコンとして表示させる。
【０１１９】
<マージジャンプアイコンクリック処理方法>
図１９は、マージジャンプアイコンに係る表示制御の処理の処理手順を示すフローチャートである。
【０１２０】
まず、ステップＳ１９０１において、表示内容処理制御部５０１は、マージジャンプアイコンに対して、ユーザーがマウスオーバー又はクリックしたかを判定する。
【０１２１】
ユーザーによりマウスオーバー又はクリックの動作があった場合（Ｓ１９０１；ＹＥＳ）、次に、ステップＳ１９０２において、表示内容処理制御部５０１は、アイコン情報を取得する。そして、表示内容処理制御部５０１は、マージジャンプアイコンが設定された各フォルダをリストにしたツールチップをＬＣＤ４０６に表示させる。
【０１２２】
次に、ステップＳ１９０３において、表示内容処理制御部５０１は、ツールチップ上表示されたフォルダに対する操作がマウスオーバーであるかクリックであるかを判定する。マウスオーバーの場合（Ｓ１９０３；マウスオーバー）、ステップＳ１９０４において、表示内容処理制御部５０１は、アイコン情報を取得し、マウスオーバーされたフォルダに係るパスをツリー形式で表示したツールチップをＬＣＤ４０６に表示させる。一方、操作がクリックの場合（Ｓ１９０３；クリック）、Ｓ１９０６に進む。
【０１２３】
ステップＳ１９０５において、表示内容処理制御部５０１は、パスのツリー上のフォルダがクリックされたかを判定する。ユーザーによりツールチップ上の特定のフォルダがクリックされた場合（Ｓ１９０５；ＹＥＳ）、ステップＳ１９０６において、表示内容処理制御部５０１は、アイコン情報を取得し、文書管理サーバ装置１０１にリクエストを送る。
【０１２４】
ステップＳ１９０７において、表示内容処理制御部３０１は、記憶部３０２からからフォルダ情報を取得し、クライアント装置１０２にレスポンスを送る。
【０１２５】
ステップＳ１９０８において、表示内容処理制御部５０１は、文書管理サーバ装置からのレスポンスに基づいて、クリックされた特定のフォルダに係るデータ類をＬＣＤ４０６に表示する。
【０１２６】
本発明の第２の実施形態により、狭い範囲でジャンプアイコン表示設定された複数のフォルダに対応するマージジャンプアイコンを見やすく、わかりやすく表示することが可能となる。
【図１】
2014021650.tif 000003
【図２】
2014021650.tif 000004
【図３】
2014021650.tif 000005
【図４】
2014021650.tif 000006
【図５】
2014021650.tif 000007
【図６】
2014021650.tif 000008
【図７】
2014021650.tif 000009
【図８】
2014021650.tif 000010
【図９】
2014021650.tif 000011
【図１０】
2014021650.tif 000012
【図１１】
2014021650.tif 000013
【図１２】
2014021650.tif 000014
【図１３】
2014021650.tif 000015
【図１４】
2014021650.tif 000016
【図１５】
2014021650.tif 000017
【図１６】
2014021650.tif 000018
【図１７】
2014021650.tif 000019
【図１８】
2014021650.tif 000020
【図１９】
2014021650.tif 000021